(57)【特許請求の範囲】
【請求項１】
端子台用ネジを締付け調整するにおいて、そのネジ軸にギャップスペーサと当該ギャップスペーサに摺動可能に重ねたギャップスライダとを介在させて、そのネジ頭部を締め付けた後、前記ギャップスライダを摺動させて、当該ギャップスライダ及び前記ギャップスペーサをネジ軸から取り外し、端子台用ネジを所定のギャップを持たせて設けることを特徴とする端子台用ネジの締付け調整方法。
【請求項２】
端子台用ネジのネジ軸が進退できる切み込み溝を有すると共に、その上面側に上面スロープ面を有するギャップスペーサと、前記ネジ軸が進退できる切り込み溝を有すると共に、その底面側に前記上面スロープ面と対応する底面スロープ面を有するギャップスライダとを備え、前記ギャップスペーサにギャップスライダを摺動可能に重ねて装着したことを特徴とする端子台用ネジの締付け調整器具。
【請求項３】
前記ギャップスペーサ及びギャップスライダのユニットを幅方向に連設させたことを特徴とする請求項２記載の端子台用ネジの締付け調整器具。
【発明の詳細な説明】
【０００１】
【発明の属する技術分野】
本発明は、端子台用ネジを所定のギャップを持たせて締め付ける端子台用ネジの締付け調整方法及びその締付け調整器具に関するものである。
【０００２】
【従来の技術】
電子機器や装置に使用される端子台（コネクタ）、例えば図５に示すような、端子台１００において、需要者側から、工場出荷などの段階で、端子台用ネジ１１０をコンタクト（締付け金具）１２０側に完全に締め付けるのではなくて、予め所定のギャップ（隙間）を持たせた状態で出荷して欲しいという要望がある。なお、１３０はワッシャー金具である。
【０００３】
というのは、需要者側では、この端子台１００を所望の電子機器や装置にセットした後、所定のケーブルや電線を配線する必要があり、その際、予めケーブルや電線の導体部分が挟み込める程度のギャップがあった方が、導体接続がし易く、作業能率が上がるからである。
【０００４】
【発明が解決しようとする課題】
しかしながら、上記のようなギャップ形成の要請は、端子台出荷側から見ると、図示のように、多数の端子台用ネジ１１０があって、これらに所定の寸法でギャップを持たせることは、結構大変な作業であった。
特にギャップにバラツキがあると、所定の寸法よりギャップが大き過ぎるものにおいては、締付け力が小さ過ぎて、搬送や保管中に端子台用ネジ１１０が脱落して紛失するなどの恐れがあり、結構厄介であった。
【０００５】
本発明は、このような従来の実情に鑑みてなされたもので、基本的には、所定のギャップを正確に形成することができる簡単な構造の器具を提案して、これによって、誰でもが大した熟練も必要とせずに、能率よく作業ができる締付け調整方法及びその器具を提供せんとするものである。
【０００６】
【課題を解決するための手段】
本発明の請求項１記載の発明は、端子台用ネジを締付け調整するにおいて、そのネジ軸にギャップスペーサと当該ギャップスペーサに摺動可能に重ねたギャップスライダとを介在させて、そのネジ頭部を締め付けた後、前記ギャップスライダを摺動させて、当該ギャップスライダ及び前記ギャップスペーサをネジ軸から取り外し、端子台用ネジを所定のギャップを持たせて設けることを特徴とする端子台用ネジの締付け調整方法にある。
【０００７】
本発明の請求項２記載の発明は、端子台用ネジのネジ軸が進退できる切み込み溝を有すると共に、その上面側に上面スロープ面を有するギャップスペーサと、前記ネジ軸が進退できる切り込み溝を有すると共に、その底面側に前記上面スロープ面と対応する底面スロープ面を有するギャップスライダとを備え、前記ギャップスペーサにギャップスライダを摺動可能に重ねて装着したことを特徴とする端子台用ネジの締付け調整器具にある。
【０００８】
本発明の請求項３記載の発明は、前記ギャップスペーサ及びギャップスライダのユニットを幅方向に連設させたことを特徴とする請求項２記載の端子台用ネジの締付け調整器具にある。
【０００９】
【発明の実施の形態】
図１は本発明に係る端子台用ネジの締付け調整方法及びその締付け調整器具の一実施例を示し、図２は締付け調整器具の平面を示したものである。
図中、２００は締付け調整器具で、これは、ギャップスペーサ２１０とギャップスライダ２２０とを備え、上述した図５の如き端子台（コネクタ）１００の端子台用ネジ１１０の締付け調整に対して用いられる。
【００１０】
上記ギャップスペーサ２１０は、特に限定されないが、金属製や樹脂製の比較的長尺なプレート板２１１からなり、その先端（図１中左側）には、端子台用ネジ１１０のネジ軸１１１が挿入される切み込み溝２１２が形成されている。また、この先端から上面側には、登り傾斜からなる上面スロープ面２１３とこの面から続く凹み部２１４が形成されており、さらに、この凹み部２１４の後端寄り（図１中右側）の中央部分には、凸部２１５が形成されている。
【００１１】
また、上記ギャップスライダ２２０も、特に限定されないが、金属製や樹脂製の小片プレート板２２１からなり、その先端（図１中左側）には、端子台用ネジ１１０のネジ軸１１１が挿入される切み込み溝２２２が形成されている。また、その先端の底面側には、登り傾斜からなる底面スロープ面２２３とこの面から続く薄肉部２２４が形成されており、さらに、この薄肉部２２４の後端寄り（図１中右側）の中央部分には、貫通穴２２５が形成されている。
【００１２】
そして、これらのギャップスペーサ２１０とギャップスライダ２２０とは、ギャップスペーサ２１０の凹み部２１４部分にギャップスライダ２２０を重ね合わせ、両者の底面スロープ面２２３と上面スロープ面２１３とをそれぞれ摺動可能に当接させると共に、ギャップスライダ２２０側の貫通穴２２５には、ギャップスペーサ２１０の凸部２１５に嵌め込んで組み付けてある。
【００１３】
次に、このようにして構成された締付け調整器具２００を用いて、図１に示すように、端子台用ネジ１１０に所定のギャップδを持たせて締め付けるには、次のようにすればよい。
【００１４】
先ず、作業者は、ギャップスペーサ２１０の切み込み溝２１２を、端子台用ネジ１１０のネジ軸１１１に嵌め込み、丁度溝底に当たるまで前進させる。
そうすると、ギャップスライダ２２０の切み込み溝２２２も、端子台用ネジ１１０のネジ軸１１１に嵌め込まれるため、この状態で、ギャップスライダ２２０を手前（図１中右側）に引き込み、図１のように、その貫通穴２２５の前方内壁面を、ギャップスペーサ２１０の凸部２１５に当接させる。
【００１５】
これによって、ギャップスペーサ２１０の前端面とギャップスライダ２２０の前端面とがほぼ面一となって、両者の重合高さが丁度上記ギャップδに合致するようになる。もちろん、両者の重合高さを種々に設定することによって、ギャップ幅を適宜調整することができる。
【００１６】
次に、作業者は、この状態で、所定の工具（ドライバなど）を用いて、端子台用ネジ１１０のネジ頭部１１２を締め付け、ワッシャー金具１３０がギャップスライダ２２０の上面側に当接した所（なお、ワッシャー金具１３０がないときにはネジ頭部底面がギャップスライダ２２０の上面側に当接した所）で、締め付けを停止させる。
【００１７】
この後、ギャップスライダ２２０を前方にスライドさせて、その貫通穴２２５の後方内壁側を、ギャップスペーサ２１０の凸部２１５に当接させれば、その底面の底面スロープ面２２３がギャップスペーサ２１０の上面スロープ面２１３から滑り、ギャップスライダ２２０とギャップスペーサ２１０の両者の重合高さが当初の高さより低下するため、締付け調整器具２００全体を、容易に端子台用ネジ１１０のネジ軸１１１から取り外すことができる。
【００１８】
つまり、作業者は、締め付けが少々重くなったら、締め付けを停止し、締付け調整器具２００を取り外すことで、簡単に端子台用ネジ１１０側に所定のギャップδを持たせることができる。
【００１９】
なお、ギャップスライダ２２０のスライドをスムーズにするためには、例えば図３に示すように、その薄肉部２２４の後端寄りに、把手２２６を設けるとよい。また、図５に示した如き、端子台１００において、複数の端子台用ネジ１１０に対して、一度にその締付け調整を行うには、例えば図４に示すように、ギャップスペーサ２１０とギャップスライダ２２０のユニットを幅方向に連設させた締付け調整器具２００′とするとよい。この場合、ギャップスペーサ２１０のプレート板２１１′は幅広のものとし、各ユニット間の間には、図５の端子台１００における隔壁１４０が挿入される切み込み溝２２７を設けるようにし、また、把手２２６′にあっても、連設したものとするとよい。
【００２０】
なお、上記実施例では、図５に示した端子台１００についての説明であったが、本発明の対象とする端子台は、これに限定されず、端子台用ネジを有するその他の端子台（コネクタ）にも、もちろん対応することができる。
また、ギャップスペーサ２１０側の凸部２１５とギャップスライダ２２０の貫通穴２２５との係合関係は、それぞれ逆の関係とすることもできる。
【００２１】
【発明の効果】
以上の説明から明らかなように、本発明に係る端子台用ネジの締付け調整方法及びその締付け調整器具によると、所定のギャップを正確に形成することができる簡単な構造の器具を提案してあるため、これによって、誰でもが大した熟練も必要とせずに、能率よく、端子台用ネジに所定のギャップを持たせて締め付けることができる。
【００２２】
また、この正確なギャップ形成によって、端子台用ネジの締付け力が小さ過ぎるなどの問題が未然に防止されるため、従来のようにギャップのバラツキにより、搬送や保管中に端子台用ネジが脱落して紛失するなどの懸念が解消される。
【００２３】
また、ギャップスペーサとギャップスライダのユニットを幅方向に連設させた締付け調整器具とした場合、一度に複数の端子台用ネジに対応することができるため、より優れた作業性が得られる。
【図面の簡単な説明】
【図１】  本発明に係る端子台用ネジの締付け調整方法及びその締付け調整器具の一実施例を示した部分縦断側面図である。
【図２】  図１の締付け調整器具の平面図である。
【図３】  本発明に係る端子台用ネジの締付け調整器具の他の実施例を示した部分縦断側面図である。
【図４】  本発明に係る端子台用ネジの締付け調整器具の他の実施例を示した平面図である。
【図５】  多数の端子台用ネジを有する端子台を示した斜視図である。
【符号の説明】
１００                  端子台
１１０                  端子台用ネジ
１１１                  ネジ軸
１１２                  ネジ頭部
２００，２００′        締付け調整器具
２１０                  ギャップスペーサ
２１１，２１１′        プレート板
２１２                  切み込み溝
２１３                  上面スロープ面
２１４                  凹み部
２１５                  凸部
２２０                  ギャップスライダ
２２１                  小片プレート板
２２２                  切み込み溝
２２３                  底面スロープ面
２２４                  薄肉部
２２５                  貫通穴
２２６，２２６′        把手
【図１】
0004072313.tif 000002
【図２】
0004072313.tif 000003
【図３】
0004072313.tif 000004
【図４】
0004072313.tif 000005
【図５】
0004072313.tif 000006